(57)【特許請求の範囲】
【請求項１】
正面側に空気吹出部と空気吸込部とを有し、且つ背面側に外気を取入れる吸気部と排気部とを有するエアコンと、
背面パネルを取外した略方形体状の景品取得遊戯装置を筐体正面側及び筐体背面側の両側に又は一方の側に接合可能な筐体で、且つ、前記景品取得遊戯装置の背面と略同形状の面と所定の奥行きを有し、少なくとも前記景品取得遊戯装置の景品展示室の展示平面の高さ及び前記エアコンの高さより上方の位置に中床板を有すると共に、筐体の一側面部に前記エアコンの背面を向けた状態で前記エアコンが設置される底面板を有する枠体状の筐体と、
前記エアコン背面側の吸気部及び排気部からそれぞれ独立して前記筐体の外枠面に到達させる２系統の通気路と、
前記エアコンの空気吹出部から吹出される空気を前記中床板に設けた空気吹出口に導く吹出路と、
前記景品展示室と連接され、前記空気吹出口からの空気を前記景品展示室の内部に送風するための第１開口部と、
前記景品展示室と連接され、前記景品展示室からの空気を前記筐体の内部に取込むための第２開口部と、
を備えたことを特徴とする景品取得遊戯装置に用いるエアコン装置。
【請求項２】
正面側に空気吹出部と空気吸込部とを有し、且つ背面側に外気を取入れる吸気部と排気部とを有する略直方体形状のエアコンと、
背面パネルを取外した略方形体状の景品取得遊戯装置を筐体正面側及び筐体背面側の両側に又は一方の側に接合可能な筐体で、且つ、前記景品取得遊戯装置の背面を後方に少なくとも前記エアコンの横幅の距離分平行移動した奥行きを有し、さらに少なくとも前記景品取得遊戯装置の景品展示室の展示平面の高さ及び前記エアコンの高さより上方の位置に中床板を有すると共に、筐体の一側面部に前記エアコンの背面を向けた状態で前記エアコンが設置される底面板を有する枠体状の筐体と、
前記エアコン背面側の吸気部及び排気部からそれぞれ独立して前記筐体の外枠面に到達させる２系統の通気路と、
前記エアコンの空気吹出部から吹出される空気を前記中床板に設けた空気吹出口に導く吹出路と、
前記景品展示室と連接され、前記空気吹出口からの空気を前記景品展示室の内部に送風するための第１開口部と、
前記景品展示室と連接され、前記景品展示室からの空気を前記筐体の内部に取込むための第２開口部と、
を備えたことを特徴とする景品取得遊戯装置に用いるエアコン装置。
【請求項３】
正面側に空気吹出部と空気吸込部とを有し、且つ背面側に外気を取入れる吸気部と排気部とを有する略直方体形状のエアコンと、
背面パネルを取外した略方形体状の景品取得遊戯装置を筐体正面側及び筐体背面側の両側に又は一方の側に接合可能な筐体で、且つ、前記景品取得遊戯装置の背面を後方に少なくとも前記エアコンの横幅の距離分平行移動した奥行きを有し、さらに少なくとも前記景品取得遊戯装置の景品展示室の展示平面の高さ及び前記エアコンの高さより上方の位置に中床板を有すると共に、筐体の一側面部に前記エアコンの背面を向けた状態で前記エアコンが設置される底面板を有する枠体状の筐体と、
前記エアコンの前後を前記中床板と底面板との間で仕切る仕切板と、
前記エアコンの背面に対向して前記筐体の一側面に設けた外気吸気口と、
前記エアコンの排気部に密着させて該排気部からの排気を前記筐体の底面に導く排気用通気路と、
前記排気用通気路に対応して前記筐体の底面に設けた排気口と、
前記エアコンの空気吹出部と前記中床板に設けた空気吹出口とを連結する通気ダクトと、
前記景品取得遊戯装置の少なくとも景品展示室の展示平面の高さ位置から前記中床板の前記景品展示室側の端部までの部分を仕切る仕切板と、
前記景品展示室と連接され、前記空気吹出口からの空気を前記景品展示室の内部に送風するための第１開口部と、
前記景品展示室側の端部までの部分を仕切る仕切板に設けられ、前記景品展示室からの空気を前記筐体の内部に取込むための第２開口部と、
を備えたことを特徴とする景品取得遊戯装置に用いるエアコン装置。
【請求項４】
前記中床板の空気吹出口に、前記筐体の前後方向にエアコンから吹出された空気を分離するためのセパレータ部を有することを特徴とする請求項１乃至３のいずれかに記載の景品取得遊戯装置に用いるエアコン装置。
【発明の詳細な説明】
【技術分野】
【０００１】
本発明は、景品取得遊戯装置に用いるエアコン装置に関するものである。
【背景技術】
【０００２】
筐体の内部に収納された景品の獲得を目的とするクレーンゲーム機に代表される景品取得遊戯装置は、その操作に面白味があるとともに、景品に人気のあるキャラクタ等を用いることで遊戯者の挑戦意欲をそそるため、ゲームセンターはもちろんのこと、一般の店舗やショッピングモール等にも多く設置されている。
【０００３】
この種の遊戯装置は、透明な板状あるいは半円球状の部材で囲まれたゲーム空間（以下「景品展示室」と呼ぶ）内に、開閉自在なアーム（把持つめ）を有する把持部を任意の位置に移動自在に且つ上下動自在に設け、景品展示室内に置かれた景品を掴み取るようにしている。景品を掴み取るには、例えば、遊戯装置の操作卓に設けられている操作ボタンを遊戯者が操作することで、把持部を排出口の直上の位置まで移動させた後、アーム部分を開くことにより景品を離して排出口に自由落下させる。排出口に入った景品は、排出景品収容部の景品取出口から外部へ取り出され、１回のゲームが終了する。
【０００４】
このような景品取得遊戯装置においては、縫いぐるみ等の他に、チョコレートやアイスキャンディなど、温度の影響を受け易い物を景品として使用することがある。このような景品を使用した場合、周囲の環境温度の変化によって景品が溶解したり、変形したりするなどの問題が生じる。
【０００５】
この問題を解決するようにしたものとしては、冷却装置を設けて景品展示室の内部を冷却するようにしたものが提案されている（例えば、特許文献１〜３参照）。例えば、特許文献１には、図９に示すように、冷却装置２２ａあるいは加熱装置、換気装置、又は放熱装置のいずれか）を取り付けたパネル２２をゲーム機用筐体２１の背面パネル２１ａ（若しくは上面パネル、又は上面及び背面パネル）として適用することで、ゲーム機用の筐体に冷却等の機能を付加することが開示されている。
【０００６】
【特許文献１】特開２００５−１４４０５７号公報
【特許文献２】特開２００１−１９０８３１号公報
【特許文献３】実用新案登録第３０７８９７１号公報
【発明の開示】
【発明が解決しようとする課題】
【０００７】
ところで、上述した特許文献１〜３のように、従来の冷却装置は、景品取得遊戯装置１台ずつに装着する必要がある。また、既存の景品取得遊戯装置にそのまま適用することができず、景品取得遊戯装置の一部を改造するなどの改造作業が必要になる。さらに、冷却装置の重量が追加されて景品取得遊戯装置の重心が高くなるため、耐震性能が低下したり筐体の強度が低下したり可能性がある。
【０００８】
本発明は上述のような事情から成されたものであり、本発明の目的は、景品取得遊戯装置の耐震性能や筐体の強度を低下させることなく、２台の景品取得遊戯装置の景品展示室の温度を同時に適温に保持することが可能で、且つ既存の景品取得遊戯装置を改造することなく適用することが可能な、景品取得遊戯装置に用いるエアコン装置を提供することにある。
【課題を解決するための手段】
【０００９】
本発明は、景品取得遊戯装機に用いるエアコン装置に関するものであり、本発明の上記目的は、正面側に空気吹出部と空気吸込部とを有し、且つ背面側に外気を取入れる吸気部と排気部とを有するエアコンと、背面パネルを取外した略方形体状の景品取得遊戯装置を筐体正面側及び筐体背面側の両側に又は一方の側に接合可能な筐体で、且つ、前記景品取得遊戯装置の背面と略同形状の面と所定の奥行きを有し、少なくとも前記景品取得遊戯装置の景品展示室の展示平面の高さ及び前記エアコンの高さより上方の位置に中床板を有すると共に、筐体の一側面部に前記エアコンの背面を向けた状態で前記エアコンが設置される底面板を有する枠体状の筐体と、前記エアコン背面側の吸気部及び排気部からそれぞれ独立して前記筐体の外枠面に到達させる２系統の通気路と、前記エアコンの空気吹出部から吹出される空気を前記中床板に設けた空気吹出口に導く吹出路と、前記景品展示室と連接され、前記空気吹出口からの空気を前記景品展示室の内部に送風するための第１開口部と、前記景品展示室と連接され、前記景品展示室からの空気を前記筐体の内部に取込むための第２開口部と、を備えることによって達成される。
【００１０】
あるいは、本発明の上記目的は、正面側に空気吹出部と空気吸込部とを有し、且つ背面側に外気を取入れる吸気部と排気部とを有する略直方体形状のエアコンと、背面パネルを取外した略方形体状の景品取得遊戯装置を筐体正面側及び筐体背面側の両側に又は一方の側に接合可能な筐体で、且つ、前記景品取得遊戯装置の背面を後方に少なくとも前記エアコンの横幅の距離分平行移動した奥行きを有し、さらに少なくとも前記景品取得遊戯装置の景品展示室の展示平面の高さ及び前記エアコンの高さより上方の位置に中床板を有すると共に、筐体の一側面部に前記エアコンの背面を向けた状態で前記エアコンが設置される底面板を有する枠体状の筐体と、前記エアコン背面側の吸気部及び排気部からそれぞれ独立して前記筐体の外枠面に到達させる２系統の通気路と、前記エアコンの空気吹出部から吹出される空気を前記中床板に設けた空気吹出口に導く吹出路と、前記景品展示室と連接され、前記空気吹出口からの空気を前記景品展示室の内部に送風するための第１開口部と、前記景品展示室と連接され、前記景品展示室からの空気を前記筐体の内部に取込むための第２開口部と、を備えることによって達成される。
【００１１】
あるいは、本発明の上記目的は、正面側に空気吹出部と空気吸込部とを有し、且つ背面側に外気を取入れる吸気部と排気部とを有する略直方体形状のエアコンと、背面パネルを取外した略方形体状の景品取得遊戯装置を筐体正面側及び筐体背面側の両側に又は一方の側に接合可能な筐体で、且つ、前記景品取得遊戯装置の背面を後方に少なくとも前記エアコンの横幅の距離分平行移動した奥行きを有し、さらに少なくとも前記景品取得遊戯装置の景品展示室の展示平面の高さ及び前記エアコンの高さより上方の位置に中床板を有すると共に、筐体の一側面部に前記エアコンの背面を向けた状態で前記エアコンが設置される底面板を有する枠体状の筐体と、前記エアコンの前後を前記中床板と底面板との間で仕切る仕切板と、前記エアコンの背面に対向して前記筐体の一側面に設けた外気吸気口と、前記エアコンの排気部に密着させて該排気部からの排気を前記筐体の底面に導く排気用通気路と、前記排気用通気路に対応して前記筐体の底面に設けた排気口と、前記エアコンの空気吹出部と前記中床板に設けた空気吹出口とを連結する通気ダクトと、前記景品取得遊戯装置の少なくとも景品展示室の展示平面の高さ位置から前記中床板の前記景品展示室側の端部までの部分を仕切る仕切板と、前記景品展示室と連接され、前記空気吹出口からの空気を前記景品展示室の内部に送風するための第１開口部と、前記景品展示室側の端部までの部分を仕切る仕切板に設けられ、前記景品展示室からの空気を前記筐体の内部に取込むための第２開口部と、を備えることによって達成される。
さらに、本発明の上記目的は、前記中床板の空気吹出口に、前記筐体の前後方向にエアコンから吹出された空気を分離するためのセパレータ部を有することによって一層効果的に達成される。
【発明の効果】
【００１２】
本発明によれば、景品取得遊戯装置の耐震性能や筐体の強度を低下させることなく、２台の景品取得遊戯装置の景品展示室の温度を同時に適温に保持することが可能となる。また、既存の景品取得遊戯装置を改造することなく適用できるので、容易にエアコン装置を導入することができる。また、１台のエアコン装置で２台の景品取得遊戯装置の景品展示室内に冷気等を送風することができるので、従来の冷却装置等と比較してコストダウンを図ることができる。
【発明を実施するための最良の形態】
【００１３】
本発明に係るエアコン装置は、景品取得遊戯装置（以下「景品取得機」と呼ぶ）に適用されるものであり、１台のエアコン装置のエアコン部から、２台の景品取得機の景品展示室内に冷却空気流等を供給し、それぞれの景品展示室内の温度を同時に調整することが可能な装置である。エアコン装置が適用される景品取得機は、既存の景品取得機であり、耐震や筐体の強度確保のための補強や、エアコン装置を適用するための孔開けなどの改造作業は不要である。配置構成としては、背面パネルを取外した２台の景品取得機の背面同士を互いに向かい合わせにして配置し、その間に本発明に係るエアコン装置を設置する。また、冷房モード，暖房モード，空気清浄モード等の運転モードの切換操作や温度，風速，風量等の調整操作は、一般の家庭用エアコンと同様にリモートコントローラで操作可能であり、景品展示室に収容される景品の種類に応じて、リモートコントローラからの遠隔操作によって簡単に適切な適温や湿度に調整できるようになっている。
【００１４】
以下、図面に基づいて本発明の好適な実施の形態について詳細に説明する。
【００１５】
図１は、本発明に係るエアコン装置の内部構造の一例を示す斜視図であり、図２は図１のエアコン装置１０の右側面図、図３は正面図をそれぞれ示している。また、図４は図１のエアコン装置１０の筐体部の外観構成を斜視図で示している。
【００１６】
本発明に係るエアコン装置１０の筐体１２は、図１に示すように高さｈ（キャスタ１２ｃの高さを含む筐体の高さ），幅Ｗ，奥行ｄから成る枠体状の筐体であり、筐体１２の底面部には、略直方体形状のエアコン１１が、その背面を筐体１２の一側面部（図１では右側面部）に向けて配置されている。筐体１２の高さｈと幅Ｗは本例では景品取得機と同じ高さと幅であり、奥行ｄは、略方形体状の景品取得機の背面を後方に少なくともエアコン１１の横幅の距離分平行移動した長さを有している。本例では、エアコン１１は、エアコン取付台１７ａ上に設置された後、背面側の上下の端部が、固定部材１７（図１中のエアコン取付ブラケット１７ａ１，１７ａ２）により固定される。なお、エアコン１１の上端側は、上記エアコン取付ブラケット１７ａ１により、後述する排気用通気路１３ｂの上端と連結されて固定される。
【００１７】
本発明に用いるエアコン１１は、図５Ａ及び図５Ｂに示すように、正面側に空気吹出部１１ａと室内空気吸込部１１ｂとを有し、且つ背面側に外気を取入れる吸気部１１ｃと排気部１１ｄとを有する一般的な縦置き窓取付用エアコンであり、本実施の形態においては、風向羽根１１ｅを外した状態で使用する。図５Ａ中の符号１１ｆで示される部分は、赤外線受光器の受光部であり、その受光器に対向する筐体１２の側面部の位置（図１では筐体１２の左側面部）には、図１中に示すようにサービスドア１２ｅが設けられている。そして、サービスドアの鍵１２ｅ１を開錠してサービスドア１２ｅを開けると、その開口部から受光器１１ｆに至る空間が現れ、エアコン１１に付属されているリモートコントローラを用いて、エアコン１１の運転モードの切換操作や温度，風速，風量等の調整操作ができるようになっている。なお、エアコン１１は、図３に示すように、エアコン用コンセント１６ａに接続されるケーブル１６ｂを介して電源１６に接続されている。
【００１８】
図１において、エアコン装置１０の筐体１２の正面側と背面側には、エアコン１１の空気吹出部１１ａから吹出される冷気等の空気を景品取得機の景品展示室内に送風するための開口部１４ｂ（図１中の幅Ｗ、高さｈ１の開口部）と、景品展示室内を循環した空気を筐体内に取入れるための開口部１４ｃとが設けられている。また、エアコン１１の背面側の吸気部１１ｃに対向する筐体１２の一側面部（図１では右側面部）には、外気を取入れるための吸気口１３ａ１が設けられている。さらに、筐体１２の底面部には、エアコン１１の排気部１１ｄからの排気を筐体外に排出するための排気口１３ｂ１が、排気用通気路１３ｂに対応して設けられている。
【００１９】
次に、エアコン装置１０の筐体１２内に設けられている通気路について説明する。以下、エアコン１１の背面側を一次側、正面側を二次側として、一次側の通気路と二次側の通気路とに分けて説明する。
【００２０】
図３に示すように、エアコン１１の二次側の空間と一次側の空間とが形成されるように、エアコン１１の前後を中床板１２ａと底面板１２ｇとの間で仕切る仕切板１２ｂ（一次側／二次側仕切板）を設けると共に、仕切板１２ｂの天面部に密接し、幅Ｗ，奥行ｄを有する中床板１２ａをエアコン１１の上部に設けている。
【００２１】
一次側の通気路は、エアコン背面側の吸気部１１ｃ及び排気部１１ｄからそれぞれ独立して筐体１２の外枠面に到達させる２系統の通気路１３ａ，１３ｂを有している。一次側の第１の通気路１３ａは、筐体側面の吸気口１３ａ１からエアコン１１の吸気部１１ｃ（図５Ｂ参照）へと外気が取込まれる通気路（図１中の矢印Ｒ１の経路を参照）であり、第２の通気路１３ｂは、エアコン１１の排気部１１ｄ（図５Ｂ参照）からの排気を排気口１３ｂ１から筐体外へ排出する排気用通気路（図１中の矢印Ｒ２の経路を参照）である。第２の通気路１３ｂは、本例では、図２中に示すように、断面が逆Ｌ字型の形状を有し、一方の開口部がエアコン１１の排気部１１ｄに密着して接合されると共に、他方の開口部が排気口１３ｂ１に接合される箱状の部材で形成されている。
【００２２】
一方、二次側の通気路１４（図１中の矢印Ｌ１、Ｌ２の経路を参照）は、エアコン正面側の空気吹出部１１ａ及び室内空気吸込部１１ｂ（図５Ａ参照）からそれぞれ独立して筐体１２の外枠面に到達させる２系統の通気路を有している。二次側の第１の通気路１４ａ（以下「送風用通気路」と呼ぶ）は、エアコン１１の空気吹出部１１ａからの空気を景品取得機の景品展示室内に送風するための開口部１４ｂへと導く通気路（図１中の矢印Ｌ１の経路を参照）である。この送風用通気路１４ａは、エアコン１１の空気吹出部１１ａと中床板１２ａに設けた空気吹出口１２ａ１とを連結する通気ダクト（吹出路）１４ａ１、中央導入路１４ａ２、及び筐体１２の前後方向（正面から見て手前側の方向と後ろ側の方向）に指向したセパレータ部１４ａ３で形成される。セパレータ部１４ａ３は、筐体１２の正面側と背面側の２つの開口部１４ｂに空気を分離して供給するための部材であり、本例では、断面が略Ｖ字型の羽根体を有する分離板で構成されている。エアコン１１の空気吹出部に嵌入して接合されている上記通気ダクト１４ａ１は、図１中に示すように、通気ダクト固定ブラケット１７ｃによって所定の位置に支持されて固設される。
【００２３】
図６は、通気ダクト１４ａ１とエアコン１１の空気吹出部１１ａとの結合形態を示している。本例では、風向羽根取付体１１ｇで取付けられている風向羽根（図５Ａ中の風向羽根１１ｅ）を外した状態で、通気ダクト１４ａ１をエアコン正面側の空気吹出部１１ａに密嵌して結合させる形態としている。エアコン１１の空気吹出部１１ａから吹出される空気は、この通気ダクト１４ａ１により、中床板１２ａに設けた空気吹出口１２ａ１（図２参照）に導かれる。
【００２４】
二次側の第２の通気路は、景品取得機の景品展示室内を循環した空気を開口部１４ｃから筐体１２内に吸込み、エアコン１１の室内空気吸込部１１ｂへと導く通気路（図１中の矢印Ｌ２の経路を参照）である。筐体１２内の正面側及び背面側に設けられている開口部１４ｃは、図２に示すように、景品取得機の少なくとも景品展示室の展示平面（展示室床面）の高さ位置（図２中のｈ３の高さの２ａの位置）から中床板１２ａの手前端（景品展示室側の端部）までの部分を仕切る仕切板１２ｆ（展示室側仕切板）に形成されている。また、図４に示すように、筐体１２の中床板１２ａは、少なくとも景品展示室の展示平面２ａの高さより上方の位置（図２中のｈ２）に設けられており、中床板１２ａの上方から景品展示室内に空気が送風されるようになっている。本例では、中床板１２ａは、景品展示室の景品展示室床面２ａの高さ（設置床１８からの高さ：図２中のｈ３）及びエアコン１１の高さより上方の位置に設けられている。
【００２５】
なお、景品取得機の筐体と密接する部分のパネル（図４中のパネル１２ｈ）は設けなくても良い。また、２台の景品取得機でなく、１台の景品取得機に適用する場合は、図２中の背板１２ｄ（取外し可能なパネル）を固定具１７ｂで固設することで、筐体１２の正面側（図２では右側）の開口部１４ｂからのみ、エアコン１１からの空気が吹出される形態となる。
【００２６】
このような構成において、図３の正面図を用いて空気の流れを説明する。
【００２７】
先ず、一次側の空気の流れを説明する。筐体側面の吸気口（金網口）１３ａ１から取入れられた外気は、図３中の矢印ａ、ｂで示す経路を通って、エアコン１１の背面の吸気部から吸込まれる。一方、エアコン１１の背面の排気部から排出される空気は、排気用通気路１３ｂ（図３中の矢印ｃ、ｄで示す経路）を通って、筐体底部の排気口（金網口）１３ｂ１から排出される。
【００２８】
次に、二次側の空気の流れを説明する。エアコン１１の正面の空気吹出部から吹出される空気は、通気ダクト１４ａ１、中央導入路１４ａ２内の経路（図３中の矢印１、２で示す経路）を通ってセパレータ部１４ａ３へと到達する。セパレータ部１４ａ３では、筐体１２の前後方向（正面側と背面側）に空気が分離され、正面側と背面側の開口部１４ｂから図３中の矢印３で示す経路を通って、景品取得機の景品展示室内へと空気が吹出される。なお、本例では、後述する展示棚１５ａを設けているため、その下方側から空気が吹出される。景品展示室内を循環した空気は、上記開口部１４の下方に位置する開口部１４ｃから吸込まれ、図３中の矢印４、５で示す経路を通って、エアコン１１の正面の室内空気吸込部１１ｂから吸込まれる。
【００２９】
次に、エアコン装置１０の筐体上部に設けられている展示部の構成について説明する。
【００３０】
図２に示すように、中床板１２ａの上方の空間は、展示品（例えば景品取得機の景品展示室に収納される景品の見本）を展示する展示部１５として利用できるようになっている。展示部１５は、本実施の形態では、取付け／取外しが自在な１以上の展示棚１５ａと、展示棚１５ａの高さを段階的に調整可能な調整柱１５ａ１と、蛍光灯１５ｂとから構成されている。蛍光灯１５ｂは、図３に示すようにケーブル１６ｃを介して電源１６に接続されている。なお、展示部を有しない構成としても良い。
【００３１】
図７は、本発明に係るエアコン装置を適用した景品取得機の一例を模式図（一部透視図）で示している。本実施の形態では、エアコン装置１０の筐体１２の前後に、それぞれ背面パネルを取外して背面側を向かい合わせにした２台の景品取得機１（１Ａ及び１Ｂ）を配置した構成としている。なお、エアコン装置１０の構成は主要部に同一符号を付して説明を省略する。本例では、展示棚１５ａに展示品１５ｃを配置すると共に、中床板１２ａの上に展示品１５ｃを配置している。展示棚１５ａは空隙部を有する網状の棚としても良く、その場合は、蛍光灯１５ｂからの照明光は、展示棚１５ａ上の展示品１５ｃと中床板１２ａ上の展示品１５ｃの両方に照射される。
【００３２】
ここで、景品取得機１（景品取得遊戯装置）の構成について概略を説明する
図７に例示される景品取得機１は、景品展示室２と、景品取得手段としてのクレーン３ａ及びクレーン駆動部３ｂと、操作ボタン４ａ，クレジット表示部４ｂ及び料金投入口４ｃを有する操作卓４と、景品落下口５と、景品取出口６とを有する一般的なクレーンゲーム機である。
【００３３】
本発明に係るエアコン装置１０は、図７に示すように、後方同士を互いに向かい合わせにして配置された２台の景品取得機１Ａ、１Ｂの間に設置され、それぞれの景品展示室２の背面側から展示室内の景品の上部へ冷却空気流等を供給すると共に、景品展示室内の空気を開口部１４ｃからエアコン装置の筐体１１内に取込んで、それぞれの景品展示室２の内部の空気を循環させるようにしている。
【００３４】
図８は、景品展示室２内の空気の流れを示す模式図であり、エアコン装置１０の空気吹出部１１ａから吹出される冷気が景品展示室２内を流れて、エアコン装置１０の開口部１４ｃからエアコン１１の室内空気吸込部１１ｂへと循環する様子を示している。なお、図８中のセパレータ部１４ａ３の両側は、筐体１０の枠（支柱）が図示されているが、図４に例示したように開口している（図３中の開口部１４ｂを参照）。本例のように、１台のエアコン装置１０から供給される空気（本例では冷気）は、図８中の矢印１，２，３，４，５で示す経路を通って、２台の景品取得機１Ａ、１Ｂのそれぞれの景品展示室２の床面２ａ上に配置されている各景品（例えばチョコレートやアイスキャンディなどの溶解し易い景品）を冷却する。
【００３５】
なお、上記説明では景品取得機の後方同士を向かい合わせにしてその間にエアコン装置を配置したが、勿論、本エアコン装置は、景品取得機１台のみでも適用でき、その場合は背面側に背板を取付けて、開口部１４ｂ、１４ｃを塞ぎ、景品展示室を循環する空気が漏れないようにする。
【００３６】
さらに、エアコンの温度調整は、係員が景品取得機のガラス戸を開き、景品展示室側からリモコンの赤外光を開口部１４ｃからエアコン本体の赤外線受光部に向けて発射することでも制御でき、景品の並べ替え時の作業と共に効率良く行うことができる。
【００３７】
なお、上述した実施の形態においては、エアコンを筐体内部の中央近傍に設置した例を図示して説明したが、エアコンの背面を筐体側面に接して設置する方式としても良い。こうすることで一次側の通気路は省略できる。さらに、上述した実施の形態においては、チョコレート等の溶解し易い景品を冷却する場合を例として説明したが、景品取得機の展示室内に収容される景品は、暖房や空気清浄を要する景品であっても良い。すなわち、本発明に係るエアコン装置は、エアコン１１の冷房モード，暖房モード，空気清浄モード等の運転モードの切換操作や、温度，風速，風量等の調整操作をすることによって、景品展示室を最適な温度や湿度に調整することが可能である。また、景品取得機としてはクレーンゲーム機を例として説明したが、クレーンゲーム機に限るものではなく、本発明のエアコン装置は、景品展示室及び景品取得手段を有する任意の遊戯装置に適用することができる。また、エアコン装置の通気路を形成する構成部品の形状や大きさは、図面に例示したものに限るものではなく、当該通気路を形成できるものであれば、任意の形状や大きさであって良い。また、エアコン装置は、キャスタの固定具により固定するだけでなく、固定部材により設置床に固設すると共に、連結部材により景品取得機を連結して固設する形態としても良い。
【図面の簡単な説明】
【００３８】
【図１】本発明に係るエアコン装置の内部構造の一例を示す模式図である。
【図２】図１のエアコン装置の右側面図である。
【図３】図１のエアコン装置の正面図である。
【図４】図１のエアコン装置の筐体部の外観構成の一例を示す斜視図である。
【図５Ａ】本発明に用いるエアコンの一例を示す正面側から見た斜視図である。
【図５Ｂ】本発明に用いるエアコンの一例を示す背面側から見た斜視図である。
【図６】図１のエアコン装置のエアコン部と通気ダクト部との結合形態を示す斜視図である。
【図７】本発明に係るエアコン装置を適用した景品取得機の一例を示す模式図である。である。
【００３９】
【図８】景品展示室内の空気の流れを示す模式図である。である。
【００４０】
【図９】従来のゲーム機用冷却装置の一例を示す斜視図である。
【符号の説明】
【００４１】
１，１Ａ，１Ｂ  景品取得機
２  景品展示室
２ａ  景品展示室床面
３ａ  クレーン
３ｂ  クレーン駆動部
４  操作卓
４ａ  操作ボタン
４ｂ  クレジット表示部
４ｃ  料金投入口
５  景品落下口
６  景品取出口
１０  エアコン装置
１１  エアコン
１１ａ  空気吹出部（二次側）
１１ｂ  室内空気吸込部（二次側）
１１ｃ  吸気部（一次側）
１１ｄ  排気部
（一次側）
１１ｅ  風向羽根
１１ｆ  赤外線受光器の受光部
１１ｇ  風向羽根取付体
１２  筐体
１２ａ  中床板
１２ａ１  空気吹出口（中床板開口部）
１２ｂ  一次側／二次側仕切板
１２ｃ  キャスタ
１２ｄ  背板
１２ｅ  サービスドア（リモコン操作口）
１２ｅ１  鍵
１２ｆ  展示室側仕切板
１２ｇ  底面板
１３  一次側通気路
１３ａ  吸気用通気路
１３ａ１  吸気口（外気吸気口）
１３ｂ  排気用通気路
１３ｂ１  排気口
１４  二次側通気路
１４ａ  送風用通気路
１４ａ１  通気ダクト（吹出路）
１４ａ２  中央導入路
１４ａ３  セパレータ部（分離板）
１４ｂ  展示室内への空気送風用開口部
１４ｃ  展示室内の空気吸込用開口部
１５  展示部
１５ａ  展示棚
１５ａ１  展示棚高調整柱
１５ｂ  蛍光灯
１５ｃ  展示品
１６  電源
１６ａ  エアコン用コンセント
１６ｂ  エアコン用ケーブル
１６ｃ  天井蛍光灯用ケーブル
１７  固定部材
１７ａ  エアコン取付台
１７ａ１，１７ａ２  エアコン取付ブラケット
１７ｂ  背板固定具
１７ｃ  通気ダクト固定ブラケット
１８  設置床
【図１】
0004661682.tif 000002
【図２】
0004661682.tif 000003
【図３】
0004661682.tif 000004
【図４】
0004661682.tif 000005
【図５Ａ】
0004661682.tif 000006
【図５Ｂ】
0004661682.tif 000007
【図６】
0004661682.tif 000008
【図７】
0004661682.tif 000009
【図８】
0004661682.tif 000010
【図９】
0004661682.tif 000011